(57)【要約】【課題】  撮影対象の輝度が急峻に変化した場合に、その急峻な変化を反映させた映像を表示できない場合があった。【解決手段】  変化情報取得部１３は、映像入力信号から輝度の低下が急峻な画素を判定する。そして、発光領域判定部１４は、輝度の低下が急峻な画素が発光画素であるかを判定する。そして、発光領域判定部１４は、発光画素で構成される面積が所定の面積以上である場合、そのアドレスを駆動信号補正部１６に通知する。そして、駆動信号補正部１６は、通知されたアドレスの輝度が、補正をしない場合よりも低くなるように、駆動信号を補正して表示フレームを生成する。【選択図】  図２
2010211047.tif 000002
【特許請求の範囲】
【請求項１】
入力フレームデータに対応する表示フレームを制御する表示制御装置であって、
入力フレームデータを入力する入力手段と、
前記入力された第１の入力フレームデータに対応する表示フレーム中の第１の領域の輝度と前記第１の入力フレームデータの後に入力された第２の入力フレームデータに対応する表示フレーム中の前記第１の領域の輝度とを比較する比較手段と、
前記第２の入力フレームデータの前記第１の領域の輝度が前記第１の入力フレームデータの前記第１の領域の輝度より閾値以上低い場合、
前記第２の入力フレームデータの前記第１の領域の輝度が前記第１の入力フレームデータの前記第１の領域の輝度より前記閾値以上低くない場合よりも
前記第１の入力フレームデータに対応する表示フレームの前記第１の領域の輝度が低くなるように、前記第１の入力フレームデータに対応する表示フレームを生成する生成手段とを有することを特徴とする表示制御装置。
【請求項２】
前記生成手段は、
前記第２の入力フレームデータにおける所定の面積よりも大きい第１の領域の輝度が前記第１の入力フレームデータにおける前記第１の領域の輝度より前記閾値以上低い場合、
前記第２の入力フレームデータにおける前記第１の領域の輝度が前記第１の入力フレームデータにおける前記第１の領域の輝度より前記閾値以上低くない場合よりも
前記第１の入力フレームデータに対応する表示フレームにおける前記第１の領域の輝度が低くなるように、前記第１の入力フレームデータに対応する表示フレームを生成する
ことを特徴とする請求項１記載の表示制御装置。
【請求項３】
入力フレームデータに対応する表示フレームを制御する表示制御装置であって、
入力フレームデータを入力する入力手段と、
前記入力された第１の入力フレームデータの輝度と前記第１の入力フレームデータの後に入力された第２の入力フレームデータの輝度とを比較する比較手段と、
前記第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも
前記第１の入力フレームデータに対応する表示フレームの輝度が低くなるように、前記第１の入力フレームデータに対応する表示フレームを生成する生成手段と
を有することを特徴とする表示制御装置。
【請求項４】
前記生成手段は、
第１の入力フレームデータの後に入力された第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも、前記第１の入力フレームデータに対応する複数の表示フレームのうち、第１の表示フレームよりも後に表示される表示フレームの輝度が低くなるように、前記第１の入力フレームデータに対応する表示フレームを生成する
ことを特徴とする請求項３記載の表示制御装置。
【請求項５】
入力フレームデータに対応する表示フレームを制御する表示制御装置であって、
入力フレームデータを入力する入力手段と、
前記入力された第１の入力フレームデータの輝度と前記第１の入力フレームデータの後に入力された第２の入力フレームデータの輝度とを比較する比較手段と、
前記第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも
前記第１の入力フレームデータに対応する表示フレームの輝度が高くなるように、前記第１の入力フレームデータに対応する表示フレームを生成する
ことを特徴とする表示制御装置。
【請求項６】
前記生成手段は、
第１の入力フレームデータの後に入力された第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも、前記第１の入力フレームデータに対応する複数の表示フレームのうち、第１の表示フレームよりも前に表示される表示フレームの輝度が高くなるように、前記第１の入力フレームデータに対応する表示フレームを生成する
ことを特徴とする請求項５記載の表示制御装置。
【請求項７】
前記生成手段は、前記第１の入力フレームデータよりも前に入力された第３の入力フレームデータの輝度と前記第２の入力フレームデータの輝度との差に基づいて、前記閾値を決定する
ことを特徴とする請求項１記載の表示制御装置。
【請求項８】
前記生成手段は、
前記第３の入力フレームデータの輝度と前記第２の入力フレームデータの輝度との差が第１の差の場合、
前記第３の入力フレームデータの輝度と前記第２の入力フレームデータの輝度との差が前記第１の差より小さい第２の差の場合よりも
前記閾値が高くなるように、前記閾値を決定する
ことを特徴とする請求項７記載の表示制御装置。
【請求項９】
入力フレームデータに対応する表示フレームを制御する表示制御装置が行う表示制御方法であって、
入力フレームデータを入力する入力工程と、
前記入力フレームデータに対応する表示フレームを生成する生成工程とを有し、
前記生成工程は、
前記第１の入力フレームデータの後に入力された第２の入力フレームデータに対応する表示フレーム中の第１の領域の輝度が前記第１の入力フレームデータに対応する表示フレーム中の前記第１の領域の輝度より閾値以上低い場合、
前記第２の入力フレームデータに対応する表示フレーム中の前記第１の領域の輝度が前記第１の入力フレームデータに対応する表示フレーム中の前記第１の領域の輝度より前記閾値以上低くない場合よりも
前記第１の入力フレームデータに対応する表示フレームにおける前記第１の領域の輝度が低くなるように、前記第１の入力フレームデータに対応する表示フレームを生成する
ことを特徴とする表示制御方法。
【請求項１０】
入力フレームデータに対応する表示フレームを制御するコンピュータに、
入力フレームデータを入力する入力手順と、
前記入力フレームデータに対応する表示フレームを生成する生成手順とを実行させ、
前記生成手順は、
前記第１の入力フレームデータの後に入力された第２の入力フレームデータに対応する表示フレーム中の第１の領域の輝度が前記第１の入力フレームデータに対応する表示フレーム中の前記第１の領域の輝度より閾値以上低い場合、
前記第２の入力フレームデータに対応する表示フレーム中の前記第１の領域の輝度が前記第１の入力フレームデータに対応する表示フレーム中の前記第１の領域の輝度より前記閾値以上低くない場合よりも
前記第１の入力フレームデータに対応する表示フレームにおける前記第１の領域の輝度が低くなるように、前記第１の入力フレームデータに対応する表示フレームを生成する
ことを特徴とするプログラム。
【請求項１１】
入力フレームデータに対応する表示フレームを制御する表示制御装置が行う表示制御方法であって、
入力フレームデータを入力する入力工程と、
前記入力フレームデータに対応する表示フレームを生成する生成工程とを有し、
前記生成工程は、
第１の入力フレームデータの後に入力された第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも前記第１の入力フレームデータに対応する表示フレームの輝度が低くなるように、前記第１の入力フレームデータに対応する表示フレームを生成することを特徴とする表示制御方法。
【請求項１２】
入力フレームデータに対応する表示フレームを制御するコンピュータに、
入力フレームデータを入力する入力手順と、
前記入力フレームデータに対応する表示フレームを生成する生成手順とを実行させ、
前記生成手順は、
第１の入力フレームデータの後に入力された第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも前記第１の入力フレームデータに対応する表示フレームの輝度が低くなるように、前記第１の入力フレームデータに対応する表示フレームを生成することを特徴とするプログラム。
【請求項１３】
入力フレームデータに対応する表示フレームを制御する表示制御装置が行う表示制御方法であって、
入力フレームデータを入力する入力工程と、
前記入力フレームデータに対応する表示フレームを生成する生成工程とを有し、
前記生成工程は、
第１の入力フレームデータの後に入力された第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも
前記第１の入力フレームデータに対応する表示フレームの輝度が高くなるように、前記第１の入力フレームデータに対応する表示フレームを生成する
ことを特徴とする表示制御方法。
【請求項１４】
入力フレームデータに対応する表示フレームを制御するコンピュータに、
入力フレームデータを入力する入力手順と、
前記入力フレームデータに対応する表示フレームを生成する生成手順とを実行させ、
前記生成手順は、
第１の入力フレームデータの後に入力された第２の入力フレームデータの輝度が前記第１の入力フレームデータの輝度より閾値以上低い場合、
前記第２の入力フレームデータの輝度が前記第１の入力フレームデータの輝度より前記閾値以上低くない場合よりも
前記第１の入力フレームデータに対応する表示フレームの輝度が高くなるように、前記第１の入力フレームデータに対応する表示フレームを生成する
ことを特徴とするプログラム。
【発明の詳細な説明】
【技術分野】
【０００１】
本発明は動画像の表示制御方法に関する。
【背景技術】
【０００２】
表示装置は、発光特性により、インパルス型とホールド型に分類することができる。インパルス型ディスプレイは、発光強度の時間的な変化が大きいため、画面のちらつき（フリッカ）が発生するという特徴がある。
【０００３】
このような問題に対し、入力フレームレート（例えば６０Ｈｚ）に対して、ディスプレイの駆動周波数を上げる（例えば１２０Ｈｚや２４０Ｈｚにする）倍速駆動方式が知られている。この方法により、フリッカを知覚されにくくすることができる。
例えば、特許文献１には、上記のような倍速駆動方式によってフリッカを知覚されにくくすることが記載されている。
【先行技術文献】
【特許文献】
【０００４】
【特許文献１】特開２００６−９８６１８号公報
【発明の概要】
【発明が解決しようとする課題】
【０００５】
しかしながら、特に、倍速駆動方式を用いた場合に、撮影対象の輝度が急峻に変化すると、その急峻な変化を反映させた映像を表示できない場合があった。
【０００６】
例えば、撮影対象の輝度が短い時間で急激に低下した場合、その急峻な輝度の低下を精度良く表示映像に反映させることができない場合があった。特に、倍速駆動方式を用いると、急峻な輝度の低下を精度良く表示画面に反映させることができない場合があった。
【０００７】
本発明は、上記の問題点に鑑みてなされたものであり、その目的は、撮影対象の急峻な輝度の変化をより反映させた映像を表示させることである。
【課題を解決するための手段】
【０００８】
上記課題を解決するために、例えば本発明の表示制御装置は、以下の特徴を有する。即ち、入力フレームデータに対応する表示フレームを生成する表示制御装置であって、入力フレームデータを入力する入力手段と、前記入力された第１の入力フレームデータに対応する表示フレーム中の第１の領域の輝度と前記第１の入力フレームデータの後に入力された第２の入力フレームデータに対応する表示フレーム中の前記第１の領域の輝度とを比較する比較手段と、前記第２の入力フレームデータの前記第１の領域の輝度が前記第１の入力フレームデータの前記第１の領域の輝度より閾値以上低い場合、前記第２の入力フレームデータの前記第１の領域の輝度が前記第１の入力フレームデータの前記第１の領域の輝度より前記閾値以上低くない場合よりも前記第１の入力フレームデータに対応する表示フレームの前記第１の領域の輝度が低くなるように、前記第１の入力フレームデータに対応する表示フレームを生成する生成手段とを有する。
【発明の効果】
【０００９】
本発明によれば、撮影対象の急峻な輝度の変化をより反映させた表示映像を表示させることができる。
【図面の簡単な説明】
【００１０】
【図１】輝度の変化が急峻である場合の例を説明するための図である。
【図２】実施形態１の表示制御装置を説明するためのブロック図である。
【図３】表示制御装置の処理を説明するためのフローチャート図である。
【図４】変化情報取得部の処理を説明するための図である。
【図５】発光画素の判定処理を説明するためのフローチャート図である。
【図６】本発明の処理を行わなかった場合の表示画面の状態を説明するための図である。
【図７】実施形態１の補正処理の例を説明するための図である。
【図８】実施形態１の補正処理の別の例を説明するための図である。
【図９】実施形態２の表示制御装置を説明するためのブロック図である。
【図１０】実施形態２の処理を説明するための図である。
【図１１】実施形態３の表示制御装置を説明するためのブロック図である。
【図１２】実施形態３の処理を説明するための図である。
【発明を実施するための形態】
【００１１】
以下、添付の図面を参照して、本発明をその好適な実施形態に基づいて詳細に説明する。なお、以下の実施形態において示す構成は一例に過ぎず、本発明は図示された構成に限定されるものではない。
【００１２】
まず、急峻な輝度の低下を表示画面に反映させることができない場合の具体的な例を図１を用いて説明する。
【００１３】
図１は、撮影対象の輝度の変化を、縦軸を輝度、横軸を時間で表したものである。また、図１（ｂ）は、映像入力信号を示している。映像入力信号は、ある時間Δｔ秒の露光時間における撮影対象の輝度の変化に基づく信号値である。映像入力信号の輝度値は、撮影対象の輝度値を時間Δｔ分だけ積算して得られたものであり、時間Δｔにおける輝度の平均値となる。例えば、図１（ａ）の時刻ｔ１からｔ２までの輝度の平均値が、図１（ｂ）の時刻ｔ１に対応するフレームの輝度となる。同様に、図１（ａ）の時刻ｔ２からｔ３までの輝度の平均値が、図１（ｂ）の時刻ｔ２に対応するフレームの輝度となる。
【００１４】
図１（ａ）は、撮影対象の輝度が時刻ｔ３とｔ４の間で急激に変化している様子を示している。例えば照明が消えるようなシーンや、雷が発生したシーンに対応する。また、図１（ｂ）は時間Δｔ秒の露光時間で得られた輝度を示している。図１（ａ）のように、フレームデータを取得している途中で急峻な輝度の変化が起こると、映像入力信号の輝度の変化が、図１（ｂ）のように、実際の輝度の変化よりもなだらかになってしまう。
【００１５】
また、図１（ｃ）は、図１（ｂ）の映像入力信号をインパルス型のディスプレイで表示した時の発光特性を示している。図１（ｃ）は、映像入力信号に基づくフレームの表示間隔とディスプレイの発光周期が共に同じ場合の例を示している。このように、実際には図１（ａ）に示すように急峻な輝度の変化が起こっているにも関わらず、表示映像は図１（ｃ）に示すようになだらかな輝度の変化となってしまう恐れがあった。
【００１６】
また、ディスプレイの発光周期を図１（ｃ）の０．５倍にした場合の例を図１（ｄ）に示す。図１（ｄ）は発光周期は時間Δｔ／２秒で、図１（ｃ）の発光をそれぞれ２回繰り返す場合を示している。この場合、図１（ａ）においては、輝度が急峻に変化しているにも関わらず、図１（ｄ）では時刻ｔ３＋０．５×Δｔまでディスプレイが発光されるため、図１（ｃ）よりもさらに輝度の変化がなだらかな映像が表示されてしまうことになってしまう。このように、実際の輝度の変化が急峻な場合に、発光周期を短くすると、図１（ｃ）よりもさらに残光感が目立ってしまう恐れがあった。
【００１７】
＜実施形態１＞
＜システム構成について＞
図２は本実施形態における表示制御装置の構成例を示すブロック図である。尚、本実施形態の表示制御装置は、映像入力信号（入力フレームデータ）に対して表示される表示フレームを制御する。
【００１８】
図２に示すように、本形態の表示制御装置は、信号値変換部１１（以下、変換部１１）、フレームメモリ１２、変化情報取得部１３（以下、取得部１３）を有する。また、本形態の表示制御装置は、発光領域判定部１４（以下、判定部１４）、駆動信号生成部１５（以下、生成部１５）、駆動信号補正部１６（以下、補正部１６）を有する。尚、本形態の表示制御装置にはコンピュータが組み込まれている。コンピュータには、ＣＰＵ等の主制御部、ＲＯＭ、ＲＡＭ等の記憶部が具備される。この他、コンピュータには、例えば、ディスプレイまたはタッチパネル等の入出力部、ネットワークカード等の通信部等が具備されていても良い。なお、これら各構成部は、バス等により接続され、主制御部が記憶部に記憶されたプログラムを実行することで制御される。
【００１９】
変換部１１は、映像入力信号（入力フレームデータ）を入力する。そして、変換部１１は、映像入力信号を輝度情報に変換し、得られた輝度情報をフレームメモリ１２に出力する。
【００２０】
フレームメモリ１２は、変換部１１によって出力された輝度情報を複数フレーム分記憶する。取得部１３は、フレームメモリ１２に記憶された複数フレーム分の輝度情報を読み出し、各画素の輝度変化情報を取得する。本形態の取得部１３は、あるフレームの輝度情報と、そのフレームの後のフレームの輝度情報を比較し、輝度変化情報を取得する。
【００２１】
つまり、取得部１３は、入力フレームデータに対応する表示フレーム中の画素の輝度と、その後の入力フレームデータに対応する表示フレーム中の画素の輝度を比較する。このとき、取得部１３は、表示画面上において同じアドレスの画素の輝度を比較し、変化量に応じた輝度変化情報を取得する。また、取得部１３は、取得した輝度変化情報に基づいて、輝度の低下が急峻である画素を判定する。そして、取得部１３は、輝度の低下が急峻である画素の表示画面上における位置を示すアドレス情報を判定部１４に通知する。取得部１３による、輝度の低下が急峻である画素の判定方法の詳細は、後述する。
【００２２】
判定部１４は、取得部１３からアドレス情報の通知を受けると、当該アドレス情報に対応する画素の輝度情報をフレームメモリ１２から読み出す。そして、判定部１４は、輝度の低下が急峻であるアドレスに対応する画素が発光画素であるか否かを判定する。つまり、判定部１４は、輝度の低下が急峻であるアドレスにおいて、当該急峻な低下前の画素の輝度が所定の輝度よりも高いか否かを判定する。
【００２３】
判定部１４は、急峻な低下前の画素の輝度が所定の輝度よりも高い場合、その画素は発光画素であると判定する。また、本形態の判定部１４は、発光画素であると判定された画素で構成される領域の面積が所定の面積よりも大きい場合、その領域を発光領域であると判定する。そして、判定部１４は、発光領域のアドレス情報を補正部１６に通知する。判定部１４による発光画素の判定、及び、発光領域の判定の詳細は後述する。
【００２４】
生成部１５は、映像入力信号（入力フレームデータ）を入力する。そして、生成部１５は、映像入力信号に基づいて、パネルを駆動するための駆動信号を生成する。生成部１５は、生成した駆動信号を補正部１６に出力する。
【００２５】
補正部１６は、判定部１４により通知された発光領域のアドレス情報に基づいて、生成部１５によって出力された駆動信号を補正する。つまり、補正部１６は、生成部１５によって出力された駆動信号を補正し、実際に表示パネルを駆動するために用いるパネル駆動信号（表示フレーム）を生成する。即ち、補正部１６は、入力映像信号（入力フレームデータ）に対応する表示フレームを生成する。尚、補正部１６は、通知されたアドレス情報に対応する表示位置の輝度の変化が、より急峻になるように、生成部１５によって出力された駆動信号を補正する。補正部１６による駆動信号の補正処理については、後述する。
【００２６】
＜システム全体の処理＞
次に、本実施形態の動作について、図３のフローチャートを用いて説明する。
【００２７】
ステップＳ１１（入力手順）において、映像入力信号が変換部１１及び生成部１５に入力される。また、ステップＳ１１において、変換部１１は、映像入力信号を輝度情報に変換する（Ｓ１１）。例えば、映像入力信号がｓＲＧＢ色空間のＲＧＢ値で与えられた場合、変換部１１は、ＲＧＢ値をＸＹＺ値やＬ＊ａ＊ｂ＊値などに変換する。ただし、変換部１１による変換を行わずに、映像入力信号のＲＧＢ値やＹＣｂＣｒ値をそのまま用いて本発明を実施することも可能である。本実施例では、ＲＧＢ値からＸＹＺ値に変換する場合について説明する。
【００２８】
まず、変換部１１は、映像入力信号に基づくＲＧＢ値を、式（１）に示すように１以下の値に正規化する。
【００２９】
【数１】
2010211047.tif 000003
【００３０】
ここで、Ｒ’，Ｇ’，Ｂ’＜０．０４０４５の場合は、
【００３１】
【数２】
2010211047.tif 000004
【００３２】
また、Ｒ’，Ｇ’，Ｂ’＞０．０４０４５の場合は、
【００３３】
【数３】
2010211047.tif 000005
【００３４】
として、正規化されたＲＧＢ値を算出する。
【００３５】
なお、γは映像入力信号にかかっているガンマ係数を表しており、ｓＲＧＢ信号の場合は２．４である。
【００３６】
その後、変換部１１は、算出されたＲＧＢ値を次のようにＸＹＺ値へ変換する。
【００３７】
【数４】
2010211047.tif 000006
【００３８】
ステップＳ１１において、変換部１１は、上記のようにして取得されたＸＹＺ値のうち、Ｙ値（輝度情報）をフレームメモリ１２へ出力する。輝度情報がフレームメモリ１２へ出力されるとステップＳ１２に進む。
【００３９】
ステップＳ１２において、フレームメモリ１２は、変換部１１により出力されたＹ値（輝度情報）を記憶する。尚、フレームメモリ１２は、複数フレーム分の輝度情報を記憶している。フレームメモリ１２が、変換部１１により出力された輝度情報を記憶するとステップＳ１３に進む。
【００４０】
ステップＳ１３において、取得部１３は、フレームメモリ１２から複数フレーム分のＹ値（輝度情報）を読み出し、輝度変化情報ｋを取得する。本形態の取得部１３は、フレームの輝度情報とそのフレームの後のフレームの輝度情報を比較して、フレーム間の輝度の変化量を取得する。そして、取得部１３は、各フレーム内のすべての画素について、フレーム間の輝度の変化量を取得する。取得部１３による輝度変化情報ｋの取得例について図４に示す。
【００４１】
図４の（ａ）、（ｂ）は、あるアドレスにおけるフレーム間の輝度の低下がなだらかである場合の例を示している。また、図４の（ｃ）、（ｄ）は、あるアドレスにおけるフレーム間の輝度の低下が急峻である場合の例を示している。
【００４２】
図４に示すように、本形態の取得部１３は、時刻ｔ３に表示されるフレーム（第１のフレーム）の輝度と、第１のフレームの後に入力された時刻ｔ４に表示されるフレーム（第２のフレーム）の輝度の変化率（輝度変化量／時間）を取得する。また、本形態の取得部１３は、時刻ｔ４に表示されるフレーム（第２のフレーム）の輝度と、第１のフレームの前に入力された時刻ｔ１に表示されるフレーム（第３のフレーム）の輝度の変化率を取得する。このように、本形態の取得部１３は、２つの輝度の変化率を輝度変化情報ｋとして取得する。時刻ｔ３のフレームと時刻ｔ４のフレームの輝度の変化率を輝度変化情報ｋ３４、時刻ｔ１のフレームと時刻ｔ４のフレームの輝度の変化率を輝度変化情報ｋ１４とすると、これらの値は、それぞれ、式（５）、式（６）を用いて算出することができる。
ｋ１４＝（Ｙ（ｔ４）−Ｙ（ｔ１））／（ｔ４−ｔ１）            （５）
ｋ３４＝（Ｙ（ｔ４）−Ｙ（ｔ３））／（ｔ４−ｔ３）            （６）
尚、本形態の取得部１３は、時刻ｔ３に表示されるフレーム（第１のフレーム）を基準とした場合、輝度変化情報ｋ１４を次のように取得する。すなわち、取得部１３は、第１のフレームの次に表示されるフレーム（第２のフレーム）の輝度と、第１のフレームよりも２フレーム前に表示されるフレーム（第３のフレーム）の輝度との差分を算出する。そして、取得部１３は、算出された差分と、時刻ｔ１とｔ４の差分に基づいて、輝度変化情報ｋ１４を取得する。
【００４３】
また、Ｙ（ｔ）はＸＹＺ値のＹ値であり時間ｔの関数であることを示している。図４からもわかるように、算出された輝度変化情報ｋの値が大きいほど、時間あたりの輝度の変化量が大きいことを示している。つまり、輝度変化情報ｋの値が大きいほど、図４の（ｂ）、（ｄ）において傾きが大きくなる。尚、本形態の取得部１３は、輝度変化情報ｋ１４、及びｋ３４を絶対値で算出する。取得部１３が輝度変化情報ｋを取得すると、ステップＳ１４に進む。
【００４４】
ステップＳ１４において、取得部１３は、ステップＳ１３で取得された輝度変化情報ｋ１４とｋ３４に基づいて、輝度の低下が急峻であるか否かを判定する。つまり、取得部１３は、例えば、時刻ｔ１から時刻ｔ４の間における輝度の低下率に対して、時刻ｔ３から時刻ｔ４の間における輝度の低下率が所定値以上大きい場合に、輝度の低下が急峻であると判定する。
【００４５】
取得部１３は、時刻ｔ１、ｔ３における輝度よりも時刻ｔ４における輝度が低く、かつ、輝度変化情報ｋ３４がｋ１４よりも所定値以上大きい場合、輝度の低下が急峻であると判定する。つまり、図４（ｂ）に示されているように、輝度変化情報ｋ１４が示す傾きと輝度変化情報ｋ３４が示す傾きが近い場合は、輝度の変化が急峻でないと判定される。一方、図４（ｄ）に示されているように、輝度変化情報ｋ１４が示す傾きと輝度変化情報ｋ３４が示す傾きが大きく異なる場合は、輝度の変化が急峻であると判定される。
【００４６】
即ち、取得部１３は、第１のフレーム（時刻ｔ３のフレーム）よりも前に入力された第３のフレーム（時刻ｔ１のフレーム）の輝度と、第２のフレーム（時刻ｔ４のフレーム）の輝度の差に基づいて、閾値を決定する。そして、取得部１３は、第１のフレームと第２のフレームの輝度の差が、決定された閾値よりも大きい画素を、輝度の低下が急峻な画素であると判定する。
【００４７】
従って、閾値は、第３のフレーム（時刻ｔ１のフレーム）の輝度と第２のフレーム（時刻ｔ４のフレーム）の輝度との差が大きいほど高く設定される。即ち、取得部１３は、第３のフレームの輝度と第２のフレームの輝度との差が第１の差の場合、第３のフレームの輝度と第２のフレームの輝度との差が第１の差よりも小さい第２の差の場合よりも高くなるように、閾値を決定する。
【００４８】
尚、取得部１３は、輝度の変化が急峻であるか否かを判定する方法として、上記の方法に限らず、例えば、フレーム間の輝度に対する２次微分値を算出して、２次微分値の絶対値が大きいところを検出する方法を用いることも可能である。また、取得部１３は、現在のフレームと次に再生されるフレームとの輝度変化量を計算し、輝度変化量が大きい箇所を検出する方法を用いても良い。
【００４９】
ステップＳ１４において、取得部１３は、輝度の低下が急峻であると判定すると、その表示画面上の位置を示すアドレスを判定部１４に出力する。アドレスが判定部１４に出力されると、ステップＳ１５に進む。
【００５０】
ステップＳ１５において、判定部１４は、輝度の低下が急峻であると判定されたアドレスに対応する画素が、発光画素であるか否かを判定する。すなわち、判定部１４は、輝度の低下が急峻であると判定されたアドレスに対応する画素の、急峻な低下前の輝度が所定の輝度よりも高いか否かを判定する。そして、判定部１４は、急峻な低下前の輝度が所定の輝度よりも高い場合、その画素を発光画素であると判定する。つまり、発光画素とは、急峻な輝度の低下がある画素で、かつ、急峻な輝度の低下前の輝度が所定の輝度よりも高い画素である。
【００５１】
判定部１４は、発光画素で構成される領域の面積が所定の面積よりも大きい場合、その領域を発光領域であると判定し、そのアドレスを補正部１６に出力する。発光画素で構成される領域の面積の判定方法については、図５を用いて後述する。ただし、面積に大小に関わらず、発光画素のアドレスを通知するようにしても良い。判定部１４によるこれらの処理が終了すると、ステップＳ１６に進む。
【００５２】
尚、映像入力信号は、ステップＳ１１（入力手順）において変換部１１に入力されると共に、生成部１５にも入力されている。そして、ステップＳ１２からステップＳ１５に対応する期間において、生成部１５は、映像入力信号に基づいてパネルを駆動するための駆動信号を生成し、補正部１６に出力する。尚、本実施形態の生成部１５は、図６に示すように、映像入力信号に応じた駆動周波数の２倍の駆動周波数となるように駆動信号を生成する。すなわち、生成部１５は、図６（ｃ）に示すように、時間Δｔの間に２回、パネルを駆動するための駆動信号を生成する。
【００５３】
つまり、生成部１５は、図６（ｂ）の映像入力信号の周期に対して、パネルを駆動するための駆動信号を０．５倍の周期で生成するため、駆動信号は時間Δｔ／２秒間隔となり、図６（ｃ）のようになる。この場合のインパルス型ディスプレイの表示光は図６（ｄ）のようになる。
【００５４】
ステップＳ１６（生成手順）において、補正部１６は、判定部１４から出力された発光領域のアドレスに基づいて、生成部１５から出力された駆動信号を補正する。すなわち、補正部１６は、ステップＳ１６において、実際に表示パネルを駆動するために用いるパネル駆動信号（表示フレーム）を生成する。補正部１６による駆動信号の補正方法として、例えば、発光領域内の画素の輝度が、補正しない場合よりも低くなるように、駆動信号を補正することができる。また、補正部１６は、例えば、発光領域内の画素の輝度が、補正しない場合よりも高くなるように、駆動信号を補正しても良い。
【００５５】
発光領域内の画素の輝度を低くする場合の例を図７を用いて説明する。あるアドレスにおける実際の被写体の輝度が、図６（ａ）に示すようなものであった場合、映像入力信号は、図７（ａ）のようになる。そして、生成部１５は、映像入力信号に基づいて、図６（ｂ）に示すような駆動信号を生成する。一方、取得部１３により、時刻ｔ３から時刻ｔ４までの間に急峻な輝度の低下があったと判定されたとする。そして、当該画素が、判定部１４により発光領域内の画素であると判定されると、その画素のアドレスが補正部１６に通知される。
【００５６】
尚、判定部１４は、時刻ｔ３のフレーム内の、通知されたアドレスに対応する画素の輝度が所定の輝度よりも高い場合に、その画素を発光画素であると判定する。また、図５を用いて後述するが、本形態の判定部１４は、発光画素であると判定された画素で構成される領域（発光領域）の面積が、所定の面積よりも広い場合に、その発光画素のアドレスを補正部１６に通知する。
【００５７】
補正部１６は、判定部１４から出力されたアドレスに対応する画素の輝度が、駆動信号の輝度よりも低くなるように、駆動信号を補正する。補正後のパネル駆動信号は、例えば図７（ｃ）のようになる。このように、補正部１６は、第１のフレーム（時刻ｔ３のフレーム）から第２のフレーム（時刻ｔ４のフレーム）にかけての輝度の低下が急峻で、さらに、低下前の輝度が所定の輝度よりも高い画素（発光画素）の第１のフレームにおける輝度が下がるように、生成部１５によって生成された駆動信号を補正する。
【００５８】
即ち、発光画素のアドレスを取得した補正部１６は、第１のフレーム（第１の入力フレームデータ）に対応する表示フレーム（パネル駆動信号）を生成する。補正部１６は、第１のフレームの後に入力された第２のフレームに対応する表示フレーム中の発光領域（第１の領域）の輝度が第１のフレームに対応する表示フレーム中の第１の領域の輝度よりも閾値以上低い場合、以下のように表示フレームを生成する。すなわち、補正部１６は、第２のフレームの第１の領域の輝度が第１のフレームの第１の領域の輝度よりも閾値以上低くない場合よりも第１のフレームに対応する表示フレームにおける第１の領域の輝度が低くなるように表示フレームを生成する。
【００５９】
尚、本形態では、発光画素で構成される領域が所定の面積以上である場合に、その領域（第１の領域）の輝度の変化が急峻となるように、駆動信号を補正する。このようにすることで、例えば、ノイズ信号によって発生した発光画素に対して、駆動信号の補正を行うことを防止できる。ただし、これに限らず、例えば、発光画素で構成される領域の面積によらず、駆動信号の補正処理を行うようにしても良い。また、例えば、補正部１６は、フレーム単位で輝度を判断し、フレーム全体の輝度の変化が急峻となるように、駆動信号を補正するようにすることも可能である。
【００６０】
尚、図７（ｃ）に示すように、補正部１６は、時刻ｔ３の映像入力信号に対応する２つの駆動信号のうち、一方の駆動信号（時刻ｔ３＋Δｔ／２）のみ補正している。ただし、時刻ｔ３の駆動信号の輝度も、低くするようにしても良い。このように、補正部１６は、映像入力信号に対応する複数の駆動信号のうち、少なくとも一部の駆動信号を補正すれば良い。即ち、補正部１６は、第２のフレーム（第２の入力フレームデータ）の輝度が第１のフレーム（第１の入力フレームデータ）の輝度よりも閾値以上低い場合、以下のようにして表示フレームを生成する。
【００６１】
即ち、補正部１６は、第２のフレームの発光領域の輝度が第１のフレームの発光領域の輝度より閾値以上低くない場合よりも第１のフレームに対応する複数の表示フレームのうち、第１の表示フレームよりも後に表示される表示フレームの発光領域の輝度を低くする。この例では、補正部１６は、第１の表示フレーム（時刻ｔ３のフレーム）よりも後に表示される表示フレーム（時刻ｔ３＋Δｔ／２のフレーム）の発光領域の輝度が低くなるように、表示フレームを生成している。
【００６２】
図７（ｃ）に示した補正により、実際の表示画面の輝度は、図７（ｄ）のようになる。図７（ｄ）に示すように、時刻ｔ３＋Δｔ／２に表示されるフレームにおける発光画素の輝度が、映像入力信号に基づく駆動信号を補正しない場合よりも低くなっている。これにより、ユーザは、より急峻な輝度の変化を知覚することができる。
【００６３】
尚、図７の例において、補正部１６は、時刻ｔ３＋Δｔ／２のフレームと時刻ｔ４のフレームが同じ輝度になるように、駆動信号を補正しているが、補正後の輝度は、この例に限らない。すなわち、補正部１６は、補正後の時刻ｔ３＋Δｔ／２のフレームの輝度が、補正前の輝度よりも低くなるように、駆動信号を補正すれば良い。
【００６４】
次に、発光領域内の画素の輝度を高くする場合の例を図８を用いて説明する。あるアドレスにおける実際の被写体の輝度が、図６（ａ）に示すようなものであった場合、映像入力信号は、図８（ａ）のようになる。そして、生成部１５は、映像入力信号に基づいて、図８（ｂ）に示すような駆動信号を生成する。一方、取得部１３により、時刻ｔ３から時刻ｔ４までの間に急峻な輝度の低下があったと判定されたとする。そして、さらに、当該画素が、判定部１４により発光領域内の画素であると判定されると、そのアドレスが補正部１６に通知される。尚、判定部１４は、時刻ｔ３のフレーム内の、通知されたアドレスに対応する画素の輝度が所定の輝度よりも高い場合に、その画素が発光画素であると判定する。
【００６５】
補正部１６は、判定部１４から出力されたアドレスに対応する画素の輝度が、駆動信号の輝度よりも高くなるように、駆動信号を補正する。補正後のパネル駆動信号は、例えば図８（ｃ）のようになる。このように、補正部１６は、第１のフレームから第２のフレームにかけての輝度の低下が急峻で、さらに、低下前の輝度が所定の輝度よりも高い画素（発光画素）の輝度が上がるように、生成部１５によって生成された駆動信号を補正する。
【００６６】
即ち、補正部１６は、第１のフレーム（第１の入力フレームデータ）に対応する表示フレーム（パネル駆動信号）を生成する。補正部１６は、第１のフレームの後に入力された第２のフレームに対応する表示フレーム中の発光領域（第１の領域）の輝度が第１のフレームに対応する表示フレーム中の発光領域の輝度よりも閾値以上低い場合、以下のように表示フレームを生成する。すなわち、補正部１６は、第２のフレームの発光領域の輝度が第１のフレームの発光領域の輝度よりも閾値以上低くない場合よりも第１のフレームに対応する表示フレームにおける発光領域の輝度が高くなるように表示フレームを生成する。
【００６７】
尚、図８（ｃ）に示すように、補正部１６は、時刻ｔ３の映像入力信号に対応する２つの駆動信号（時刻ｔ３と、時刻ｔ３＋Δｔ／２の駆動信号）のうち、両方の駆動信号を補正している。ただし、例えば、時刻ｔ３の駆動信号のみ、高くするようにしても良い。このように、補正部１６は、映像入力信号に対応する複数の駆動信号のうち、少なくとも一部の駆動信号を補正すれば良い。
【００６８】
即ち、補正部１６は、第２のフレーム（第２の入力フレームデータ）の輝度が第１のフレーム（第１の入力フレームデータ）の輝度よりも閾値以上低い場合、以下のようにして表示フレームを生成する。すなわち、補正部１６は、第２のフレームの輝度が第１のフレームの輝度よりも閾値以上低くない場合よりも、第１のフレームに対応する複数の表示フレームのうち、第１の表示フレームよりも前に表示される表示フレームの輝度が高くなるように、表示フレームを生成する。
【００６９】
例えば、補正部１６は、第１の表示フレーム（時刻ｔ３＋Δｔ／２のフレーム）よりも前に表示される表示フレーム（時刻ｔ３のフレーム）の輝度が高くなるように、表示フレームを生成することができる。この場合、補正部１６は、時刻ｔ３のフレームの輝度を補正しない。
【００７０】
図８（ｃ）に示した補正により、実際の表示画面の輝度は、図８（ｄ）のようになる。図８（ｄ）に示すように、時刻ｔ３に表示されるフレーム、及び、時刻ｔ３＋Δｔ／２に表示されるフレームにおける発光画素の輝度が、映像入力信号に基づく駆動信号を補正しない場合よりも高くなっている。これにより、ユーザは、より急峻な輝度の変化を知覚することができる。
【００７１】
尚、図８の例において、補正部１６は、時刻ｔ３のフレームと時刻ｔ３＋Δｔ／２のフレームと、時刻ｔ２のフレームの輝度が同じになるように、駆動信号を補正しているが、補正後の輝度は、この例に限らない。すなわち、補正部１６は、補正後の時刻ｔ３のフレームと時刻ｔ３＋Δｔ／２のフレームの輝度が、補正前の輝度よりも高くなるように、駆動信号を補正すれば良い。
【００７２】
次に、判定部１４の詳細な動作について、図５を用いて説明する。
【００７３】
ステップＳ２１において、判定部１４は、取得部１３により輝度の低下が急峻であると判定された画素の、急峻な低下前の輝度が、所定の輝度よりも高いか否かに応じて、発光画素であるか否かを判定する。尚、輝度以外の色に関する成分を用いて、明るさの変化が急峻であるかを判定するようにしても良い。例えば、光の急峻な変化時は、輝度成分は変化するが、色成分の変化量は小さいという特徴を利用することができる。つまり、Ｌ＊ａ＊ｂ＊空間におけるａｂ値を算出し、ａｂ成分の変化量が所定の値以下かどうかによって、明るさの変化が急峻であるかを判定することもできる。ステップＳ２１において、判定部１４が発光画素の判定を行うと、ステップＳ２２に進む。
【００７４】
ステップＳ２２において、判定部１４は、発光画素で構成される領域の面積を取得する。すなわち、判定部１４は、発光画素が連続している領域の面積を取得する。判定部１４は、発光画素で構成される領域が複数ある場合は、それぞれの面積を取得する。判定部１４が発光画素で構成される領域の面積を取得すると、ステップＳ２３に進む。
【００７５】
ステップＳ２３において、判定部１４は、発光画素で構成される領域の面積が所定の面積よりも大きいか否かを判定する。発光画素で構成される領域が複数ある場合、それぞれの領域の面積が所定の面積よりも大きいか否かを判定する。判定部１４が、すべての領域について判定すると、ステップＳ２４に進む。
【００７６】
ステップＳ２４において、判定部１４は、発光画素で構成される領域の面積が所定の面積よりも大きい領域であると判定された領域を、発光領域であると判定し、そのアドレスを補正部１６に通知する。また、判定部１４は、ステップＳ２１で発光画素で構成される領域であると判定された領域のうち、所定の面積（例えば１０画素分の面積）よりも小さい面積であった領域は、非発光領域であると判定し、そのアドレスは補正部１６に通知しない。
【００７７】
そして、判定部１４は、発光領域であると判定された領域のアドレスを補正部１６に通知する。このようにすることで、例えば、ノイズ信号により、輝度の時間変化が急峻となっている場合に、本発明が適用されてしまうことを防げる。ただし、面積を考慮せずに、すべての発光画素に対して、輝度の変化が急峻になるように、駆動信号を補正することも可能である。
【００７８】
以上説明したように、本実施形態の取得部１３は、映像入力信号に応じた表示フレームにおいて輝度の低下が急峻である画素があるか否かを判定する。そして、補正部１６は、輝度の低下が急峻である画素のうち、当該急峻な低下前の輝度が所定の輝度よりも高い画素（発光画素）に対応する表示フレームの輝度を補正する。この補正は、補正をしない場合よりも、表示画面の輝度の変化が急峻になるような補正である。つまり、補正部１６は、表示画面の輝度の変化が映像入力信号に応じて映像を表示させるよりも急峻になるように駆動信号を補正することにより表示フレームを生成する。
【００７９】
このようにすることで、撮影対象の急峻な輝度の変化をより反映させた映像を表示させることができる。
【００８０】
＜実施形態２＞
本発明の第２の実施形態について、図９、図１０を用いて説明する。実施形態１では、発光画素であると判定された画素の輝度を変化させるために、映像入力信号に対して生成された駆動信号を補正する例について説明した。これに対し、本実施形態は、発光画素であると判定された画素の輝度を変化させるために、映像入力信号を補正する場合について説明する。
【００８１】
図９は、本実施形態における表示制御装置の構成例を示すブロック図である。尚、本実施形態の表示制御装置は、映像入力信号（入力フレームデータ）に対して表示される表示フレームを制御する。
【００８２】
図９に示すように、本形態の表示制御装置は、信号値変換部２１（以下、変換部２１）、フレームメモリ２２、変化情報取得部２３（以下、取得部２３）、発光領域判定部２４（以下、判定部２４）を有する。また、本形態の表示制御装置は、発光強度補正部２５（以下、補正部２５）、駆動信号生成部２６（以下、生成部２６）を有する。尚、本形態の表示制御装置も、第１の実施形態と同様に、コンピュータが組み込まれている。また、変換部２１、フレームメモリ２２、取得部２３、判定部２４は、実施形態１における、変換部１１、フレームメモリ２１、取得部１３、判定部１４に、それぞれ対応する。
【００８３】
補正部２５は、発光領域内の輝度が変化するように、映像入力信号を補正する。
【００８４】
本実施形態における処理の具体例について、図１０を用いて説明する。
【００８５】
まず、あるアドレスにおける被写体の輝度の変化が図６（ａ）に示すようなものであった場合、そのアドレスに対応する映像入力信号は、図１０（ａ）のようになる。また、取得部２３は、映像入力信号に基づいて、各アドレスにおいて急峻な輝度の低下が起こっているか判定し、判定部１４は、急峻な輝度の低下が起こっているアドレスに対応する画素が発光画素であるか判定する。また、判定部１４は、発光画素で構成される領域の面積が所定の面積以上であるか否かに応じて、当該領域が発光領域であるか否かを判定する。この例では、図１０（ａ）の時刻ｔ３の画素が発光領域の画素であると判定される。そして、補正部２５は、発光領域の映像入力信号を補正する。この補正は、補正をしなかった場合よりも、表示画面の輝度の変化が急峻となるような補正である。
【００８６】
補正部２５による補正後の映像入力信号は、図１０（ｂ）のようになる。この補正により、時刻ｔ３のフレームのうち、発光画素であると判定された領域の輝度が、映像入力信号に応じた輝度よりも高くなるように補正されたことを示している。ただし、発光画素であると判定された領域の輝度を低くするように補正しても良い。補正部２５は、補正後の映像入力信号を生成部２６に出力する。
【００８７】
生成部２６は、補正後の映像入力信号に基づいて、駆動信号を生成する。また、表示パネルは、生成部２６により生成された駆動信号に基づく映像を表示する。即ち、生成部２６は、第１のフレーム（第１の入力フレームデータ）に対応する表示フレームを生成する。生成された駆動信号は、例えば、図１０（ｃ）のようになる。また、駆動信号に基づいて表示される表示画面の輝度は、図１０（ｄ）のようになる。図１０（ｄ）に示されるように、時刻ｔ３、及び時刻ｔ３＋Δｔ／２のフレームの輝度が、補正前の輝度よりも高くなっている。また、その結果、時刻ｔ３＋Δｔ／２のフレームの輝度と、その次に表示される時刻ｔ４のフレームの輝度の変化が急峻になっている。
【００８８】
次に、本実施形態の処理について、図３のフローチャートを用いて説明する。
【００８９】
ステップＳ１１からステップＳ１５までの処理は、実施形態１と同様であるため、説明を省略する。ステップＳ１６において、補正部２５は、判定部２４により通知された発光領域のアドレスに基づいて、映像入力信号を補正する。そして、ステップＳ１６において、生成部２６は、補正部２５により補正された映像入力信号に基づいて、パネル駆動信号（表示フレーム）を生成する。つまり、生成部２６は、ステップＳ１６において、表示フレームを生成する。
【００９０】
即ち、生成部２６は、第１のフレーム（第１の入力フレームデータ）に対応する表示フレーム（パネル駆動信号）を生成する。生成部２６は、第１のフレームの後に入力された第２のフレームに対応する表示フレーム中の発光領域（第１の領域）の輝度が第１のフレームに対応する表示フレーム中の第１の領域の輝度よりも閾値以上低い場合、以下のように表示フレームを生成する。すなわち、生成部２６は、第２のフレームの第１の領域の輝度が第１のフレームの第１の領域の輝度よりも閾値以上低くない場合よりも第１のフレームに対応する表示フレームにおける第１の領域の輝度が高くなるように表示フレームを生成する。ただし、生成部２６は、第１のフレームに対応する表示フレームにおける第１の領域の輝度が低くなるように表示フレームを生成しても良い。
【００９１】
このように、本実施形態の表示制御装置によれば、撮影対象の急峻な輝度の変化をより反映させた映像を表示させることができる。
【００９２】
＜実施形態３＞
次に、本発明の第３の実施形態について、図１１、図１２を用いて説明する。本実施形態は、発光画素であると判定された領域の輝度を、ユーザから入力された調整量に基づいて補正する場合について説明する。
【００９３】
図１１は、本実施形態における表示制御装置の構成例を示すブロック図である。尚、本実施形態の表示制御装置は、映像入力信号（入力フレームデータ）に対して表示される表示フレームを制御する。
【００９４】
図１１に示すように、本形態の表示制御装置は、信号値変換部３１（以下、変換部３１）、フレームメモリ３２、変化情報取得部３３（以下、取得部３３）、発光領域判定部３４（以下、判定部３４）を有する。また、本形態の表示制御装置は、駆動信号生成部３５（以下、生成部３５）、駆動信号補正部３６（以下、補正部３６）、補正量調整部３７（以下、調整部３７）を有する。尚、本形態の表示制御装置も、第１の実施形態と同様に、コンピュータが組み込まれている。また、変換部３１、フレームメモリ３２、取得部３３、判定部３４、生成部３５は、実施形態１の、変換部１１、フレームメモリ２１、取得部１３、判定部１４、生成部１５にそれぞれ対応する。
【００９５】
本形態の補正部３６は、判定部３４により出力されたアドレスと、調整部３７により出力された補正量に基づいて、生成部１５により生成された駆動信号を補正する。調整部３７は、ユーザからの入力に応じて、補正部３６による駆動信号の補正量を制御する。
【００９６】
本実施形態における処理の具体例について、図１２を用いて説明する。
【００９７】
まず、あるアドレスにおける被写体の輝度の変化が図６（ａ）に示すようなものであった場合、そのアドレスに対応する映像入力信号は、図１２（ａ）のようになる。また、取得部３３は、映像入力信号に基づいて、各アドレスにおいて急峻な輝度の低下が起こっているか判定し、判定部３４は、急峻な輝度の低下が起こっているアドレスに対応する画素が発光画素であるか判定する。そして、判定部３４は、発光画素で構成される領域の面積が所定の面積以上であるか否かに基づいて、当該領域が発光領域であるか否かを判定する。
【００９８】
一方、生成部３５は、映像入力信号に応じた駆動信号を生成する。生成部３５により生成される駆動信号は、例えば、図１２（ｂ）のようになる。そして、補正部３６は、発光領域であると判定された領域に対応する駆動信号を補正する。この補正は、補正をしなかった場合よりも、表示画面の輝度の変化が急峻となるような補正である。補正部３６による補正後の駆動信号は、例えば、図１２（ｃ）、（ｄ）、（ｅ）のようになる。
【００９９】
図１２（ｃ）（ｄ）（ｅ）に示すように、補正部３６による補正により、時刻ｔ３に表示されるフレームのうち、発光画素であると判定された領域の輝度が、補正しない場合よりも高くなったことを示している。ただし、発光画素であると判定された領域の輝度を低くするように補正しても良い。補正部３６は、補正後の駆動信号を表示パネルに出力する。尚、図１２（ｃ）は、駆動信号の補正量が小さく設定された場合の、補正後の駆動信号を示している。
【０１００】
また、図１２（ｄ）は、駆動信号の補正量が、図１２（ｃ）よりも大きく設定された場合の、補正後の駆動信号を示している。また、図１２（ｅ）は、駆動信号の補正量が、図１２（ｄ）よりもさらに大きく設定された場合の、補正後の駆動信号を示している。図１２（ｄ）のように、被写体の実際の輝度の変化よりも、表示画面の輝度の変化を急峻にすることで、より急峻な輝度の変化を強調させることも可能である。
【０１０１】
次に、本実施形態の処理について、図３のフローチャートを用いて説明する。
【０１０２】
ステップＳ１１からステップＳ１５までの処理は、実施形態１と同様であるため、説明を省略する。ステップＳ１６において、補正部３６は、判定部３４により通知された発光領域のアドレス、及び、調整部３７により通知された補正量に基づいて、生成部３５により出力された駆動信号を補正する。
【０１０３】
即ち、補正部３６は、第１のフレーム（第１の入力フレームデータ）に対応する表示フレーム（パネル駆動信号）を生成する。補正部３６は、第１のフレームの後に入力された第２のフレームに対応する表示フレーム中の発光領域（第１の領域）の輝度が第１のフレームに対応する表示フレーム中の第１の領域の輝度よりも閾値以上低い場合、以下のように表示フレームを生成する。すなわち、補正部３６は、第２のフレームの第１の領域の輝度が第１のフレームの第１の領域の輝度よりも閾値以上低くない場合よりも第１のフレームに対応する表示フレームにおける第１の領域の輝度が高くなるように表示フレームを生成する。ただし、補正部３６は、第１のフレームに対応する表示フレームにおける第１の領域の輝度が低くなるように表示フレームを生成しても良い。
【０１０４】
このように、本実施形態の表示制御装置によれば、撮影対象の急峻な輝度の変化をより反映させた映像を表示させることができる。
【０１０５】
また、本実施形態の表示制御装置によれば、撮影対象の急峻な輝度の変化をどれだけ表示映像に反映させるかを、ユーザの選択に基づいて決定させることができる。
【０１０６】
＜その他の実施形態＞
本発明の目的は、次の形態によっても達成される。即ち、前述した実施形態の機能を実現するソフトウエアのプログラムコードを記録した記録媒体を、システムあるいは装置に供給する。そして、そのシステムあるいは装置のコンピュータ（またはＣＰＵまたはＭＰＵ）が記録媒体に格納されたプログラムコードを読み出し実行する形態である。この場合、記憶媒体から読み出されたプログラムコード自体が前述した実施形態の機能を実現することとなり、そのプログラムコードを記憶した記憶媒体は本発明を構成することになる。
【符号の説明】
【０１０７】
１３、２３、３３  変化情報取得部
１４、２４、３４  発光領域判定部
１６、３６  駆動信号補正部
２５  発光強度補正部
３７  補正量調整部
【図１】
2010211047.tif 000007
【図２】
2010211047.tif 000008
【図３】
2010211047.tif 000009
【図４】
2010211047.tif 000010
【図５】
2010211047.tif 000011
【図６】
2010211047.tif 000012
【図７】
2010211047.tif 000013
【図８】
2010211047.tif 000014
【図９】
2010211047.tif 000015
【図１０】
2010211047.tif 000016
【図１１】
2010211047.tif 000017
【図１２】
2010211047.tif 000018